(57)【要約】【課題】  アンテナを収納した無線ユニットの小型化を図りながら、アンテナ性能の向上を図ることができる無線通信装置を提供する。【解決手段】  アンテナ１３、およびアンテナ１３に接続した無線回路基板１２を具備して、無線信号の送受信を行う無線ユニット１と、無線ユニット１に対する送信データの出力と無線ユニット１からの受信データの入力との各機能を有する計測回路基板２２を具備する計測ユニット２とを備え、計測ユニット２が具備する導体板２４は、計測回路基板２２のグランドパターン２２ａに接続するとともに、無線回路基板１２の一面に対向して、無線回路基板１２のグランドパターン１２ａと容量結合する。【選択図】図１
2012227616.tif 000002
【特許請求の範囲】
【請求項１】
アンテナと無線回路基板とを具備して無線信号の送信と受信との少なくとも一方を行う無線ユニットと、
前記無線ユニットとの間でデータの入力と出力との少なくとも一方を行う信号基板を具備する信号ユニットとを備え、
前記無線ユニットは、前記無線回路基板のグランド電位に接続した第１の結合部を有し、前記信号ユニットは、前記信号基板のグランド電位に接続した第２の結合部を有し、前記第１の結合部と前記第２の結合部とは容量結合する
ことを特徴とする無線通信装置。
【請求項２】
前記第１の結合部は、前記無線回路基板の一面に形成したグランドパターンで構成され、前記第２の結合部は、前記無線回路基板の一面の少なくとも一部と対向することを特徴とする請求項１記載の無線通信装置。
【請求項３】
前記第１の結合部は、前記無線回路基板と別体に形成した第１の導体板で構成され、前記第２の結合部は、前記第１の導体板の一面の少なくとも一部と対向することを特徴とする請求項１記載の無線通信装置。
【請求項４】
前記第２の結合部は、前記信号基板と別体に形成した第２の導体板で構成され、この第２の導体板の一面が前記第１の結合部の少なくとも一部と対向することを特徴とする請求項１乃至３いずれか記載の無線通信装置。
【請求項５】
前記第２の結合部は、前記信号基板に形成したグランドパターンに接続することを特徴とする請求項１乃至４いずれか記載の無線通信装置。
【請求項６】
前記第２の結合部は、前記信号基板と別体に形成されて前記信号基板のグランドパターンに接続した導電部材に接続することを特徴とする請求項１乃至５いずれか記載の無線通信装置。
【請求項７】
前記信号ユニットは、前記信号基板のグランド電位に接続した第３の結合部を有し、一の前記信号ユニットの前記第３の結合部は、他の前記信号ユニットの前記第２の結合部に容量結合することを特徴とする請求項１乃至６いずれか記載の無線通信装置。
【請求項８】
前記第３の結合部は、前記信号基板に形成したグランドパターンに接続することを特徴とする請求項７記載の無線通信装置。
【請求項９】
前記第３の結合部は、前記信号基板と別体に形成されて前記信号基板のグランドパターンに接続した導電部材に接続することを特徴とする請求項７または８記載の無線通信装置。
【発明の詳細な説明】
【技術分野】
【０００１】
本発明は、無線通信装置に関するものである。
【背景技術】
【０００２】
従来、各種データを計測する計測ユニットに、無線通信機能を有する無線ユニットを接続し、親端末との間で無線通信を行うことによって、計測したデータを親端末へ送信したり、データ計測のための制御信号を親端末から受信する無線通信装置がある。
【０００３】
そして、無線ユニットにはアンテナが収納されており、特許文献１では、アンテナ性能（送信性能、受信性能）を確保するために、無線基板とアンテナ基板とを互いに直交させて配置し、アンテナ基板と金属部分との間に空間を設けている。
【０００４】
また、特許文献２では、反射導体を設けることによって、アンテナの利得向上を図っている。
【先行技術文献】
【特許文献】
【０００５】
【特許文献１】特開２００４−２４１８３２号公報
【特許文献２】特開平１０−３１３２１２号公報
【発明の概要】
【発明が解決しようとする課題】
【０００６】
しかしながら、近年、無線ユニットの小型化が図られているため、無線ユニットに収納されているアンテナは、十分なグランド領域を確保することができず、アンテナ性能が低いという問題があった。一般的に十分高いアンテナ性能を確保するためには、アンテナ素子と、このアンテナ素子に給電する回路基板のグランドとの各電気的長さの和が、通信に用いる波長λの１／２以上の長さであることが好ましい。しかし、グランド領域がこの条件を満たす無線ユニットは、大型になってしまう。
【０００７】
上記特許文献１の技術は、無線ユニットを計測ユニットに取り付けた場合にアンテナ性能の劣化を抑える手段としては有効であるが、小型の無線ユニットに対して、アンテナ性能を向上させるものではない。
【０００８】
また、上記特許文献２の技術では、反射導体が有効に作用するためには、反射導体にλ／２以上の長さが求められ、無線ユニットの大型化の要因になってしまう。
【０００９】
本発明は、上記事由に鑑みてなされたものであり、その目的は、アンテナを収納した無線ユニットの小型化を図りながら、アンテナ性能の向上を図ることができる無線通信装置を提供することにある。
【課題を解決するための手段】
【００１０】
本発明の無線通信装置は、アンテナ、および前記アンテナに接続した無線回路基板を具備して、無線信号の送信と受信との少なくとも一方を行う無線ユニットと、前記無線ユニットに対する送信データの出力と前記無線ユニットからの受信データの入力との少なくとも一方の機能を有する信号基板を具備する信号ユニットとを備え、前記無線ユニットは、前記無線回路基板のグランド電位に接続した第１の結合部を有し、前記信号ユニットは、前記信号基板のグランド電位に接続した第２の結合部を有し、前記第１の結合部と前記第２の結合部とは、互いに容量結合することを特徴とする。
【００１１】
この発明において、前記第１の結合部は、前記無線回路基板の一面に形成したグランドパターンで構成され、前記第２の結合部は、前記無線回路基板の一面の少なくとも一部と対向することが好ましい。
【００１２】
この発明において、前記第１の結合部は、前記無線回路基板と別体に形成した第１の導体板で構成され、前記第２の結合部は、前記第１の導体板の一面の少なくとも一部と対向することが好ましい。
【００１３】
この発明において、前記第２の結合部は、前記信号基板と別体に形成した第２の導体板で構成され、この第２の導体板の一面が前記第１の結合部の少なくとも一部と対向することが好ましい。
【００１４】
この発明において、前記第２の結合部は、前記信号基板に形成したグランドパターンに接続することが好ましい。
【００１５】
この発明において、前記第２の結合部は、前記信号基板と別体に形成されて前記信号基板のグランドパターンに接続した導電部材に接続することが好ましい。
【００１６】
この発明において、前記信号ユニットは、前記信号基板のグランド電位に接続した第３の結合部を有し、一の前記信号ユニットの前記第３の結合部は、他の前記信号ユニットの前記第２の結合部に容量結合することが好ましい。
【００１７】
この発明において、前記第３の結合部は、前記信号基板に形成したグランドパターンに接続することが好ましい。
【００１８】
この発明において、前記第３の結合部は、前記信号基板と別体に形成されて前記信号基板のグランドパターンに接続した導電部材に接続することが好ましい。
【発明の効果】
【００１９】
以上説明したように、本発明では、アンテナを収納した無線ユニットの小型化を図りながら、アンテナ性能の向上を図ることができるという効果がある。
【図面の簡単な説明】
【００２０】
【図１】実施形態１の無線通信装置の構成を示す断面図である。
【図２】同上の無線通信装置の構成を示す斜視図である。
【図３】（ａ）（ｂ）同上の無線通信装置の構成を示す断面図である。
【図４】実施形態２の無線通信装置の構成を示す断面図である。
【図５】同上の無線通信装置の構成を示す斜視図である。
【図６】（ａ）（ｂ）同上の増設ユニットの構成を示す断面図である。
【図７】同上の増設ユニットの他の構成を示す断面図である。
【図８】実施形態３の無線通信装置の構成を示す断面図である。
【発明を実施するための形態】
【００２１】
以下、本発明の実施の形態を図面に基づいて説明する。
【００２２】
（実施形態１）
図１〜図３は、本実施形態の無線通信装置の構成を示し、無線通信装置は、無線ユニット１と、計測ユニット２とで構成される。例えば、住戸、店舗、工場等の建屋には、建屋内の電路を導通・遮断する主幹ブレーカ、分岐ブレーカ等が収納された分電盤が設置されており、この無線通信装置も分電盤内に収納される。そして、計測ユニット２は、分岐電路毎の電力使用量を計測し、無線ユニット１は、図示しない親端末との間で無線通信を行うことによって、電気使用量の計測データを親端末へ送信したり、データ計測のための制御信号を親端末から受信する。なお、以下の説明では、図１において上下左右前後方向を規定している。
【００２３】
無線ユニット１は、筐体１１を外郭として備え、無線回路基板１２、アンテナ１３を筐体１１内に収納している。
【００２４】
筐体１１は、略直方体の箱状に形成され、その前面には略矩形の凸部１１ａが左右方向に沿って形成されており、スイッチ等の操作部、ＬＥＤ等の表示部、パーソナルコンピュータ等との接続部が、凸部１１ａの前面に設けられている。この筐体１１は、上下方向の寸法（高さ寸法）および左右方向の寸法（幅寸法）が規格化されており、幅寸法は、規格化された単位寸法の整数倍で形成されている。
【００２５】
無線回路基板１２は、アンテナ１３を介して親端末との間で無線通信を行う無線回路を構成しており、筐体１１の左側面に配置されて、無線回路基板１２の裏面が筐体１１の左側面に対向している。この無線回路基板１２の裏面には、無線回路基板１２のグランド電位となるグランドパターン１２ａが、例えば、銅箔等によるべたパターンで面状に形成されている。さらに、無線回路基板１２の裏面には、後述の計測ユニット２のコネクタ２３ａと接続するコネクタ１２ｂが実装されており、コネクタ１２ｂの接続口は、筐体１１の左側面に設けた開口を挿通して外部に露出している。
【００２６】
この無線回路基板１２は、無線通信機能のみを有しているので、小型に形成されており、無線回路基板１２の長さ（方向問わず）は、通信に用いる波長λの１／４未満の寸法に抑えられている。したがって、無線回路基板１２に形成されたグランドパターン１２ａの長さも、通信に用いる波長λの１／４未満の寸法に抑えられている。例えば、通信に用いる周波数が８００ＭＨｚの場合、波長λ／４は約８ｃｍとなる。
【００２７】
アンテナ１３は、モノポールアンテナや逆Ｆアンテナ等の不平衡アンテナで構成されており、筐体１１の凸部１１ａ内に配置され、無線回路基板１２から給電されて、グランドパターン１２ａをグランドプレーンとして用いる。そして、無線ユニット１の筐体１１が小型に形成されているため、このアンテナ１３は、通信に用いる波長λの１／４程度の長さしか確保できない。したがって、アンテナ１３と無線回路基板１２のグランドパターン１２ａとの各電気的長さの和は、通信に用いる波長λの１／２未満になる。
【００２８】
次に、計測ユニット２は、筐体２１を外郭として備え、計測回路基板２２、インターフェース基板２３、導体板２４（第２の導体板）を筐体２１内に収納している。なお、計測ユニット２は、本発明の信号ユニットに相当し、計測回路基板２２は、本発明の信号基板に相当する。
【００２９】
筐体２１は、略直方体の箱状に形成され、その前面には略矩形の凸部２１ａが左右方向に沿って形成されており、スイッチ等の操作部、ＬＥＤ等の表示部、パーソナルコンピュータ等との接続部が、凸部１１ａの前面に設けられている。この筐体２１は、筐体１１と同様に高さ寸法および幅寸法が規格化されており、幅寸法は、規格化された単位寸法の整数倍で形成されるとともに、無線ユニット１の筐体１１の幅寸法より長く形成される。
【００３０】
計測回路基板２２は、分岐電路毎の電力使用量の検知量を電気信号で出力する分電盤内の電力センサ（図示無し）に接続して、電力使用量の計測データを生成する計測回路を構成している。この計測回路基板２２は、インターフェース基板２３を介して、生成した計測データ（送信データ）を無線ユニット１へ出力し、また無線ユニット１が受信した制御信号（受信データ）を取得する各機能を有する。計測回路基板２２は、筐体２１の後面（底面）に、その板面が対向するように配置されており、計測回路基板２２のグランド電位となるグランドパターン２２ａが形成されている。
【００３１】
この計測回路基板２２は、無線回路基板１２より大きいサイズに形成されており、計測回路基板２２の長さ（方向問わず）は、通信に用いる波長λの１／４以上の寸法に形成されている。そして、計測回路基板２２に形成されたグランドパターン２２ａの長さも、通信に用いる波長λの１／４以上の寸法に形成されている。
【００３２】
インターフェース基板２３は、凸部２１ａ内に配置され、その右端には、無線ユニット１のコネクタ１２ｂと接続するコネクタ２３ａが実装されており、コネクタ２３ａの接続口は、筐体２１の右側面に設けた開口を挿通して外部に露出している。このインターフェース基板２３は、筐体２１内で計測回路基板２２に接続しており、コネクタ１２ｂ，２３ａを介して計測回路基板２２と無線回路基板１２との間で授受される送信データおよび受信データのインターフェース機能を有する。
【００３３】
導体板２４は、銅、アルミ等の導体で板状に構成され、計測回路基板２２のグランドパターン２２ａに接続されており、その板面が筐体２１の右側面に対向している。
【００３４】
計測ユニット２の右側には無線ユニット１が配置され、無線ユニット１の筐体１１の左側面と計測ユニット２の筐体２１の右側面とが互いに対向している。そして、無線ユニット１のコネクタ１２ｂと計測ユニット２のコネクタ２３ａとが互いに接続することによって、計測ユニット２の計測データが無線ユニット１へ出力され、無線ユニット１は、この計測データを無線信号に変換して親端末へ送信する。また、無線ユニット１が親端末から無線信号として受信した制御信号は、計測ユニット２が受信データとして取得する。
【００３５】
そして、本実施形態のアンテナ１３は、無線回路基板１２のグランドパターン１２ａだけでなく、計測回路基板２２のグランドパターン２２ａも、グランドプレーンとして用いており、以下、アンテナ１３のグランドプレーンについて説明する。
【００３６】
まず、無線ユニット１に収納されている無線回路基板１２のグランドパターン１２ａと、計測ユニット２に収納されている導体板２４とは、各面が左右方向に対向しており、互いに容量結合している。つまり、グランドパターン１２ａと導体板２４とは、高周波領域で電気的に接続している。また、グランドパターン１２ａと導体板２４との容量結合は、電磁結合とみなすこともできる。すなわち、グランドパターン１２ａと導体板２４とは、グランドパターン１２ａと導体板２４との間にギャップが存在する場合でも、高周波領域において互いに電気的に接続可能に構成されている。なお、グランドパターン１２ａは、本発明の第１の結合部に相当し、導体板２４は、本発明の第２の結合部に相当する。
【００３７】
例えば、グランドパターン１２ａと導体板２４との対向面積Ｓ、グランドパターン１２ａと導体板２４とのギャップＤ、空気の誘電率εとした場合、グランドパターン１２ａと導体板２４との間の静電容量Ｃは、Ｃ＝εＳ／Ｄとなる。したがって、上記対向面積Ｓ、ギャップＤを適宜設定することにより、静電容量Ｃを調整して、高周波領域におけるグランドパターン１２ａと導体板２４との間のインピーダンスを所望の値に設定できる。
【００３８】
そして、導体板２４は、計測回路基板２２のグランドパターン２２ａに接続しているので、無線回路基板１２のグランドパターン１２ａは、計測回路基板２２のグランドパターン２２ａに、導体板２４を介して高周波領域で電気的に接続している。すなわち、アンテナ１３は、無線回路基板１２のグランドパターン１２ａだけでなく、計測回路基板２２のグランドパターン２２ａも、グランドプレーンとして用いることになる。
【００３９】
計測回路基板２２は無線回路基板１２より大型に構成されており、グランドパターン２２ａの長さは、通信に用いる波長λの１／４以上の寸法に形成されている。したがって、アンテナ１３とグランドパターン１２ａとグランドパターン２２ａとの各電気的長さの和は、通信に用いる波長λの１／２以上となり、アンテナ１３のアンテナ性能が向上する。さらに、アンテナ１３のグランドプレーンの面積（投影面積）は、グランドパターン１２ａとグランドパターン２２ａとの両面積の和になるので、投影面積が増えることによっても、アンテナ１３のアンテナ性能が向上する。したがって、アンテナ１３を収納した無線ユニット１の小型化を図りながら、アンテナ性能の向上を図ることができるのである。
【００４０】
例えば、アンテナ１３が、グランドパターン１２ａのみをグランドプレーンとして用いた場合、自由空間効率は−１２〜−７（ｄＢ）である。しかし、グランドパターン１２ａとグランドパターン２２ａとの両方をグランドプレーンとして用いた場合、自由空間効率は−４（ｄＢ）程度にまで改善される。
【００４１】
（実施形態２）
図４，図５は、本実施形態の無線通信装置の構成を示し、無線通信装置は、無線ユニット１と、計測ユニット２と、増設ユニット３とで構成されており、無線ユニット１と計測ユニット２との間に増設ユニット３を設けたものである。なお、実施形態１と同様の構成には同一の符号を付して説明は省略する。
【００４２】
増設ユニット３は、図４〜図６に示すように、筐体３１を外郭として備え、増設回路基板３２、インターフェース基板３３、導体板３４，３５を筐体３１内に収納している。
【００４３】
筐体３１は、略直方体の箱状に形成され、その前面には略矩形の凸部３１ａが左右方向に沿って形成されており、スイッチ等の操作部、ＬＥＤ等の表示部、パーソナルコンピュータ等との接続部が、凸部３１ａの前面に設けられている。この筐体３１は、筐体１１と同様に高さ寸法および幅寸法が規格化されており、幅寸法は、規格化された単位寸法の整数倍で形成される。なお、本実施形態における筐体３１の幅寸法は、無線ユニット１の筐体１１の幅寸法と同一に設定しているが、この寸法に限定されるものではない。
【００４４】
増設回路基板３２は、計測ポイントを増やす増設用の計測回路を構成しており、分岐電路毎の電力使用量の検知量を電気信号で出力する分電盤内の電力センサ（図示無し）に接続して、電力使用量の計測データを生成する増設用計測回路を構成している。そして、増設回路基板３２は、インターフェース基板３３を介して、生成した計測データ（送信データ）を無線ユニット１へ出力し、また無線ユニット１が受信した制御信号（受信データ）を取得する各機能を有する。増設回路基板３２は、筐体３１の後面（底面）に、その板面が対向するように配置されており、増設回路基板３２のグランド電位となるグランドパターン３２ａが形成されている。
【００４５】
インターフェース基板３３は、凸部３１ａ内に配置され、その右端には、無線ユニット１のコネクタ１２ｂと接続するコネクタ３３ａが実装されており、コネクタ３３ａの接続口は、筐体３１の右側面に設けた開口を挿通して外部に露出している。さらに、インターフェース基板３３の左端には、計測ユニット２のコネクタ２３ａと接続するコネクタ３３ｂが実装されており、コネクタ３３ｂの接続口は、筐体３１の左側面に設けた開口を挿通して外部に露出している。このインターフェース基板３３は、筐体３１内で増設回路基板３２に接続しており、増設ユニット３と無線ユニット１および計測ユニット２との間で授受される送信データおよび受信データのインターフェース機能を有する。
【００４６】
導体板３４，３５は、銅、アルミ等の導体で板状に構成され、増設回路基板３２のグランドパターン３２ａに接続されており、導体板３４の板面が筐体３１の右側面に対向し、導体板３５の板面が筐体３１の左側面に対向している。
【００４７】
増設ユニット３の右側には無線ユニット１が配置され、無線ユニット１の筐体１１の左側面と増設ユニット３の筐体３１の右側面とが互いに対向している。そして、無線ユニット１のコネクタ１２ｂと増設ユニット３のコネクタ３３ａとが互いに接続することによって、増設ユニット３の計測データが無線ユニット１へ出力され、無線ユニット１は、この計測データを無線信号に変換して親端末へ送信する。また、無線ユニット１が親端末から無線信号として受信した制御信号は、増設ユニット３が受信データとして取得する。
【００４８】
さらに、増設ユニット３の左側には計測ユニット２が配置され、計測ユニット２の筐体１１の右側面と増設ユニット３の筐体３１の左側面とが互いに対向している。そして、計測ユニット２のコネクタ２３ａと増設ユニット３のコネクタ３３ｂとが互いに接続することによって、計測ユニット２の計測データが増設ユニット３を介して無線ユニット１へ出力される。また、無線ユニット１が親端末から無線信号として受信した制御信号は、増設ユニット３を介して計測ユニット２へ出力される。
【００４９】
なお、計測ユニット２および増設ユニット３は、本発明の信号ユニットに相当し、計測回路基板２２および増設回路基板３２は、本発明の信号基板に相当する。さらに、導体板３４は、本発明の第２の結合部に相当し、導体板３５は、本発明の第３の結合部に相当する。
【００５０】
そして、本実施形態のアンテナ１３は、無線回路基板１２のグランドパターン１２ａだけでなく、計測回路基板２２のグランドパターン２２ａ、増設ユニット３のグランドパターン３２ａも、グランドプレーンとして用いている。以下、アンテナ１３のグランドプレーンについて説明する。
【００５１】
まず、無線ユニット１に収納されている無線回路基板１２のグランドパターン１２ａと、増設ユニット３に収納されている導体板３４とは、各面が左右方向に対向しており、互いに容量結合している。つまり、グランドパターン１２ａと導体板３４とは、高周波領域で電気的に接続している。そして、導体板３４は、増設回路基板３２のグランドパターン３２ａに接続しているので、無線回路基板１２のグランドパターン１２ａは、増設回路基板３２のグランドパターン３２ａに、導体板３４を介して高周波領域で電気的に接続している。
【００５２】
さらに、増設ユニット３内でグランドパターン３２ａに接続している導体板３５と、計測ユニット２に収納されている導体板２４とは、各面が左右方向に対向しており、互いに容量結合している。つまり、導体板３５は、計測回路基板２２のグランドパターン２２ａに接続している導体板２４と高周波領域で電気的に接続している。
【００５３】
而して、無線回路基板１２のグランドパターン１２ａは、計測回路基板２２のグランドパターン２２ａに、導体板３４、グランドパターン３２ａ、導体板３５、導体板２４を介して高周波領域で電気的に接続している。すなわち、アンテナ１３は、無線回路基板１２のグランドパターン１２ａだけでなく、計測回路基板２２のグランドパターン２２ａ、増設ユニット３のグランドパターン３２ａも、グランドプレーンとして用いることになる。
【００５４】
したがって、通信に用いる波長λの１／４以上の寸法に形成されているグランドパターン２２ａをグランドプレーンとして用いることができる。而して、アンテナ１３とグランドパターン１２ａとグランドパターン２２ａとグランドパターン３２ａとの各電気的長さの和は、通信に用いる波長λの１／２以上となり、アンテナ１３のアンテナ性能が向上する。さらに、アンテナ１３のグランドプレーンの面積（投影面積）は、グランドパターン１２ａ，２２ａ，３２ａの各面積の和になるので、投影面積が増えることによっても、アンテナ１３のアンテナ性能が向上する。したがって、アンテナ１３を収納した無線ユニット１の小型化を図りながら、アンテナ性能の向上を図ることができるのである。
【００５５】
このように、増設ユニット３は、導電板３４，３５を、左右両側面に各々設けており、無線ユニット１と計測ユニット２との間に増設ユニット３を接続した場合でも、グランドパターン１２ａをグランドパターン２２ａに電気的に接続させることができる。
【００５６】
また、増設ユニット３のグランドパターン３２ａの長さも、通信に用いる波長λの１／４以上の寸法に形成すれば、アンテナ性能がさらに向上する。
【００５７】
また、図７に示すように導電板３４，３５の各端部を、銅、アルミ等の導体からなる接続板３６で一体に連結してコの字状に形成してもよい。
【００５８】
また、増設ユニット３が有する機能は、計測ポイントを増やす増設機能に限定されず、例えば、計測ユニット２から出力された計測データを記憶するデータ記憶機能を有するものでもよい。
【００５９】
また、計測ユニット２も、増設ユニット３と同様に、グランドパターン２２ａに接続している導電板を左右両側面に設けることによって、左右の両方向に他のユニットを接続することが可能になる。
【００６０】
（実施形態３）
図８は、本実施形態の無線通信装置の構成を示し、実施形態２と同様の構成には同一の符号を付して説明は省略する。
【００６１】
無線ユニット１において、無線回路基板１２は、筐体１１の後面（底面）に、その板面が対向するように配置されている。さらに、銅、アルミ等の導体で板状に構成された導体板１４が、無線回路基板１２のグランドパターン１２ａに接続されており、その板面が筐体１１の左側面に対向している。そして、導体板１４は、増設ユニット３の導体板３４に対向しており、導体板１４と導体板３４とは互いに容量結合している。すなわち、導体板１４が、本発明の第１の結合部に相当する。
【００６２】
また、増設ユニット３は、銅、アルミ等の導体で板状に構成された導電部材３７を、増設回路基板３２の後方に配置しており、導電部材３７は、導体板３４，３５、増設回路基板３２のグランドパターン３２ａに接続されている。
【００６３】
さらに、計測ユニット２は、銅、アルミ等の導体で板状に構成された導電部材２５を、計測回路基板２２の後方に配置しており、導電部材２５は、導体板２４、計測回路基板２２のグランドパターン２２ａに接続されている。
【００６４】
したがって、計測ユニット２および増設ユニット３の各グランド電位をより安定させることができ、さらにアンテナ１３のグランドプレーンの面積（投影面積）も増えるので、アンテナ１３のアンテナ性能がさらに向上する。
【００６５】
なお、上記各実施形態において、無線ユニット１は、無線信号の送信と受信との少なくとも一方の機能を備えていればよく、計測ユニット２は、送信データの送信機能と受信データの受信機能との、少なくともいずれか一方の機能を備えていればよい。すなわち、無線通信装置は、無線送信機能と無線受信機能との少なくともいずれか一方の機能を備えていればよい。
【００６６】
また、上記各実施形態において、計測ユニット２が測定するデータとしては、電力の使用量以外に、ガス、水道等の使用量や、温度、湿度等の物理量等が挙げられる。
【符号の説明】
【００６７】
１  無線ユニット
１２  無線回路基板
１２ａ  グランドパターン（第１の結合部）
１３  アンテナ
２  計測ユニット（信号ユニット）
２２  計測回路基板（信号基板）
２２ａ  グランドパターン
２４  導体板（第２の結合部）
【図１】
2012227616.tif 000003
【図２】
2012227616.tif 000004
【図３】
2012227616.tif 000005
【図４】
2012227616.tif 000006
【図５】
2012227616.tif 000007
【図６】
2012227616.tif 000008
【図７】
2012227616.tif 000009
【図８】
2012227616.tif 000010